(57)【要約】【課題】端子の係止力強化と端子の引き抜き作業性を両立を図る端子抜き構造を提供する。【解決手段】コネクタハウジング２には、端子収容室３と、端子収容室３の両側より端子２０をそれぞれ係止する一対のランス７とが設けられ、コネクタハウジング２内に挿入された端子抜き治具３０Ａによってランス７を係止解除位置に変位させて、端子２０を端子収容室３から引き抜くコネクタ１の端子抜き構造であって、コネクタハウジング２には、一対の各ランス７とそれぞれ一体に弾性変形する一対の解除用壁部８が設けられ、端子抜き治具３０Ａは、コネクタハウジング２内への挿入過程で一対の解除用壁部８の間に進入し、一対の解除用壁部８を互いに間隔を広げる方向に変移して一対のランス７をそれぞれ係止解除位置に変位させる解除アーム部３２と、一対のランス７が各係止解除位置まで変位した後の挿入過程で端子２０を端子抜き方向に押圧する端子押圧部３３とを有する。【選択図】図８
2013069542.tif 000002
【特許請求の範囲】
【請求項１】
コネクタハウジングには、端子が収容される端子収容室と、前記端子収容室の両側より弾性変形によって前記端子をそれぞれ係止する一対のランスとが設けられ、前記コネクタハウジング内に挿入された端子抜き治具によって前記ランスを係止解除位置に変位させて、前記端子を前記端子収容室から引き抜くコネクタの端子抜き構造であって、
前記コネクタハウジングには、一対の前記各ランスとそれぞれ一体に弾性変形し、前記端子抜き治具の挿入スペース内に対向配置された一対の解除用壁部が設けられ、
前記端子抜き治具は、前記コネクタハウジング内への挿入過程で一対の前記解除用壁部の間に進入し、一対の前記解除用壁部を互いに間隔を広げる方向に変移して一対の前記ランスをそれぞれ係止解除位置に変位させる解除アーム部と、一対の前記ランスが各係止解除位置まで変位した後の挿入過程で前記端子を端子抜き方向に押圧する端子押圧部とを有することを特徴とするコネクタの端子抜き構造。
【請求項２】
請求項１記載のコネクタの端子抜き構造であって、
前記端子抜き治具は、前記コネクタハウジング内に挿入された前記解除アーム部の傾斜を規制するこじり規制部を有することを特徴とするコネクタの端子抜き構造。
【請求項３】
請求項２記載のコネクタの端子抜き構造であって、
前記こじり規制部は、前記解除アーム部にスライド自在で、且つ、付勢手段によって前記解除アーム部の先端側に付勢されていることを特徴とするコネクタの端子抜き構造。
【発明の詳細な説明】
【技術分野】
【０００１】
本発明は、コネクタハウジング内に収容された端子を端子抜き治具を用いて引き抜くコネクタの端子抜き構造に関する。
【背景技術】
【０００２】
この種の構造を適用した従来のコネクタとしては、特許文献１に開示されたものがあるこのコネクタ５０は、図１６及び図１７に示すように、コネクタハウジング５１と複数の端子６０とリテーナ７０とを備えている。コネクタハウジング５１は、各端子６０が収容される複数の端子収容室５２と、各端子収容室５２の左右の両側より弾性変形によって端子６０をそれぞれ係止する一対のランス５３，５４とを有する。
【０００３】
端子６０は、端子収容室５２に収容されている。端子６０は、端子収容室５２の後方開口５２ｂより挿入される。端子６０は、相手端子（図示せず）との接触を行う端子接触部６１と、電線Ｗの端部が固定された電線固定部６２とを有する。端子収容室５２に収容された端子６０は、その端子接触部６１に一対のランス５３，５４が両側より係止される。これにより、端子６０は、引き抜き方向に移動できないようになっている。
【０００４】
リテーナ７０は、相手端子（図示せず）の挿入側からコネクタハウジング５１に嵌合されている。リテーナ７０の嵌合先端側には、ランス規制突部７１が設けられている。このランス規制突部７１によって一対のランス５３，５４の係止解除方向への移動が阻止されている。
【０００５】
尚、図１６では、端子６０は、端子収容室５２への挿入途中位置に位置し、図１７では端子収容室５２の適正な収容位置に位置している。
【先行技術文献】
【特許文献】
【０００６】
【特許文献１】特開２００２−３６７７０６号公報
【発明の概要】
【発明が解決しようとする課題】
【０００７】
上記した従来例のように、端子６０を一対のランス５３，５４によって係止する構造では、単一のランスで係止する場合に較べて、端子６０を強固に係止できる。しかし、端子６０の係止力の強化と端子６０の引き抜き作業性を両立させることができないという問題があった。
【０００８】
つまり、単一のランスを有する構造では、コネクタハウジング５１内に挿入する端子抜き治具（図示せず）で１つのランスのみを係止解除位置に変移させれば良い。しかし、一対のランス５３，５４を有する構造では、端子抜き治具で一対のランス５３，５４を共に係止解除位置に変移させる必要があり、解除作業が面倒である。又、端子抜き治具は、間隔を設けた二本の解除用アーム部を有する構造となるため、強度的に弱い構造となる。
【０００９】
ここで、前記従来例では、一方のランス５３の端子係止面５３ａを垂直面に、他方のランス５４の端子係止面５４ａを傾斜面として構成し、端子抜き治具で一方のランス５３のみを係止解除することによって端子６０を引き抜くことができるようにしている。しかし、端子６０の係止力が弱くなり、端子６０の係止力の強化と端子の引き抜き作業性を両立させることができない。
【００１０】
そこで、本発明は、前記した課題を解決すべくなされたものであり、端子の係止力の強化と端子の引き抜き作業性を両立させることができるコネクタの端子抜き構造を提供することを目的とする。
【課題を解決するための手段】
【００１１】
本発明は、コネクタハウジングには、端子が収容される端子収容室と、前記端子収容室の両側より弾性変形によって前記端子をそれぞれ係止する一対のランスとが設けられ、前記コネクタハウジング内に挿入された端子抜き治具によって前記ランスを係止解除位置に変位させて、前記端子を前記端子収容室から引き抜くコネクタの端子抜き構造であって、前記コネクタハウジングには、一対の前記各ランスとそれぞれ一体に弾性変形し、前記端子抜き治具の挿入スペース内に対向配置された一対の解除用壁部が設けられ、前記端子抜き治具は、前記コネクタハウジング内への挿入過程で一対の前記解除用壁部の間に進入し、一対の前記解除用壁部を互いに間隔を広げる方向に変移して一対の前記ランスをそれぞれ係止解除位置に変位させる解除アーム部と、一対の前記ランスが各係止解除位置まで変位した後の挿入過程で前記端子を端子抜き方向に押圧する端子押圧部とを有することを特徴とする。
【００１２】
前記端子抜き治具は、前記コネクタハウジング内に挿入された前記解除アーム部の傾斜を規制するこじり規制部を有することが好ましい。
【００１３】
前記こじり規制部は、前記解除アーム部にスライド自在で、且つ、付勢手段によって前記解除アーム部の先端側に付勢されていることが好ましい。
【発明の効果】
【００１４】
本発明によれば、端子抜き治具をコネクタハウジング内に挿入すると、端子抜き治具の解除アーム部が一対の解除用壁部間を押し開き、これにより一対のランスが係止解除位置に変移し、この位置より更に端子抜き治具の挿入を進めると端子抜き治具の端子押圧部が端子を引き抜き方向に押圧して端子が引き抜き方向に移動し、端子抜き治具を引き抜いても端子が一対のランスに再度係止されることがなく、その後、作業者が端子を端子収容室から引き抜けば良い。このように一対のランスを共に係止解除位置に変移できるため、一対のランスは、端子への係止力が強固な構造にできる。以上より、端子の係止力の強化と端子の引き抜き作業性を両立させることができる。
【図面の簡単な説明】
【００１５】
【図１】本発明の第１実施形態を示し、コネクタと端子抜き治具の斜視図である。
【図２】本発明の第１実施形態を示し、コネクタハウジングの斜視図である。
【図３】本発明の第１実施形態を示し、コネクタハウジングの正面図である。
【図４】本発明の第１実施形態を示し、コネクタの破断斜視図である。
【図５】本発明の第１実施形態を示し、コネクタの端子抜き作業の過程を示す一部破断斜視図である。
【図６】本発明の第１実施形態を示し、（ａ）はコネクタの端子抜き作業の過程を示す縦断面図、（ｂ）はコネクタの端子抜き作業の過程を示す横断面図である。
【図７】本発明の第１実施形態を示し、コネクタの端子抜き作業の過程を示す一部破断斜視図である。
【図８】本発明の第１実施形態を示し、（ａ）はコネクタの端子抜き作業の過程を示す縦断面図、（ｂ）はコネクタの端子抜き作業の過程を示す横断面図である。
【図９】本発明の第１実施形態を示し、コネクタの端子抜き作業の過程を示す一部破断斜視図である。
【図１０】本発明の第１実施形態を示し、（ａ）はコネクタの端子抜き作業の過程を示す縦断面図、（ｂ）はコネクタの端子抜き作業の過程を示す横断面図である。
【図１１】本発明の第２実施形態を示し、端子抜き治具の斜視図である。
【図１２】本発明の第２実施形態を示し、コネクタの端子抜き作業の過程を示す一部破断斜視図である。
【図１３】本発明の第３実施形態を示し、端子抜き治具の斜視図である。
【図１４】本発明の第３実施形態を示し、コネクタの端子抜き作業の過程を示す一部破断斜視図である。
【図１５】本発明の第３実施形態を示し、コネクタの端子抜き作業の過程を示す一部破断斜視図である。
【図１６】従来の端子抜き構造を適用したコネクタの断面図である。
【図１７】従来の端子抜き構造を適用したコネクタの一部破断斜視図である。
【発明を実施するための形態】
【００１６】
以下、本発明の実施形態を図面に基づいて説明する。
【００１７】
（第１実施形態）
図１〜図１０は本発明の第１実施形態を示す。図１に示すように、コネクタ１は、コネクタハウジング２とこのコネクタハウジング２内に収容された複数の端子２０（図面では、端子２０は１つのみ表示）とを備えている。各端子２０は、端子抜き治具３０Ａを使用して引き抜くことができる端子抜き構造になっている。以下、詳細に説明する。
【００１８】
図１〜図４において、コネクタハウジング２には、左右２列で上下２段の計４つの端子収容室３が設けられている。各端子収容室３の前方開口部３ａから相手端子（図示せず）が挿入される。各端子収容室３の後方開口部３ｂから端子２０が挿入される。各端子収容室３の前方側には、端子前方規制段差面３ｃが形成されている。
【００１９】
各端子収容室３の上方位置には、治具挿入室４がそれぞれ設けられている。各治具挿入室４の底面側は、下方の端子収容室３に開口されている。各治具挿入室４の前方開口部４ａから端子抜き治具３０Ａが挿入される。
【００２０】
各端子収容室３と各治具挿入室４は、左右の側壁５によって囲まれているが、その各側壁５の外側には、撓み許容室６がそれぞれ設けられている。
【００２１】
左右の各側壁５には、端子収容室３に向かってそれぞれ突出する一対のランス７が一体に設けられている。各ランス７は、その端子係止面７ａが垂直面に、その端子進入面７ｂが傾斜面にそれぞれ形成されている。
【００２２】
左右の各側壁５には、治具挿入室４に向かってそれぞれ突出する一対の解除用壁部８が一体に設けられている。一対の解除用壁部８は、治具挿入室４の前方側に向かって延設されている。一対の解除用壁部８は、治具挿入室４に対向配置されている。各解除用壁部８は、各ランス７に一体に固定されている。
【００２３】
左右の各側壁５には、各ランス７の直ぐ下方位置で端子収容室３の長手方向に向かって延びるスリット９が形成されている。この各スリット９によって、各ランス７及び解除用壁部８が撓み許容室６に向かって膨らむ方向に撓み変形できる。各ランス７は、この撓み変形によって端子２０の係止解除位置に変移する。
【００２４】
端子２０は、端子収容室３に収容されている。端子２０は、相手端子との接触を行う端子接触部２１と、電線Ｗの端部が固定された電線固定部２２とを有する。端子接触部２１は、雌形態である。端子２０は、端子収容室３の後方開口３ｂより挿入される。端子２０は、この挿入過程で一対のランス７が端子接触部２１に干渉するが、一対のランス７の撓み変形によって所定の収容位置まで挿入される。端子２０は、端子前方規制段差面３ｃによって前方への移動が規制されている。端子２０は、その端子接触部２１の後端が一対のランス７に係止されることによって後方（端子引き抜き方向）への移動が規制されている。つまり、端子２０は、端子前方規制段差面３ｃと一対のランス７によって端子収容室３の所定位置に位置決めされている。
【００２５】
端子抜き治具３０Ａは、図１に示すように、作業者が把持する把持部３１と、この把持部３１より前方に突出する解除アーム部３２と、この解除アーム部３２の根本箇所に一体に設けられた端子押圧部３３とを備えている。解除アーム部３２は、単一のロッド形状であり、治具挿入室４に挿入可能な寸法である。解除アーム部３２の先端面は、テーパ面３２ａに形成されている。解除アーム部３２は、治具挿入室４への挿入過程で一対の解除用壁部８の間に進入し、一対の解除用壁部８を互いの間隔を広げる方向に変移させて一対のランス７をそれぞれ係止解除位置に変位させる。
【００２６】
端子押圧部３３は、一対のランス７が各係止解除位置まで変位した後の挿入過程で端子２０の前端面に当接し、端子２０を端子引き抜き方向に押圧する。
【００２７】
次に、コネクタ１の端子引き抜き作業を説明する。図５及び図６に示すように、治具挿入室４の前方開口部４ａより端子抜き治具３０Ａの解除アーム部３２を挿入する。すると、解除アーム部３２の先端が一対の解除用壁部８の間に進入し、解除アーム部３２が一対の解除用壁部８に干渉する。ここで、解除アーム部３２の先端箇所はテーパ面３２ａであるため、スムーズに一対の解除用壁部８の間に進入する。
【００２８】
この状態より端子抜き治具３０Ａを更に挿入すると、図７及び図８に示すように、解除アーム部３２が一対の解除用壁部８を外方向に押圧して一対の解除用壁部８間が徐々に押し開かれる。すると、一対のランス７も互いに離間する方向、つまり、係止解除位置側に徐々に変移し、最終的に一対のランス７が係止解除位置まで変位する。
【００２９】
この挿入位置より更に端子抜き治具３０Ａの挿入を進めると、図９及び図１０に示すように、端子抜き治具３０Ａの端子押圧部３３が端子２０の前端面に当接し、端子３０を引き抜き方向に押圧する。この押圧力で端子３０が引き抜き方向に移動する。このように、端子３０を引き抜き方向に移動させた後、端子抜き治具３０Ａを治具挿入室４より引き抜く。
【００３０】
端子抜き治具３０Ａを治具挿入室４より引き抜くと、一対の解除用壁部８及び一対のランス７が元の位置に撓み復帰力によって戻ろうとするが、端子２０は所定位置より引き抜き方向に変移しているため、一対のランス７が端子２０を再び係止することがない。
【００３１】
端子抜き治具３０Ａを治具挿入室４より引き抜いた後、作業者が電線Ｗを後方に引っ張れば、端子２０がスムーズに端子収容室３より引き抜ける。これで、完了する。
【００３２】
上記端子抜き作業で説明したように、端子抜き治具３０Ａを治具挿入室４に挿入するだけで一対のランス７が共に係止解除位置に変移できる。従って、一対のランス７は、前記実施形態にように、端子２０への係止力が強固な構造にできる。以上より、端子２０の係止力の強化と端子２０の引き抜き作業性を両立させることができる。
【００３３】
端子抜き治具３０Ａは、単一の解除アーム部３２を有する構成で良いため、強度的に強い構造となる。
【００３４】
（第２実施形態）
図１１及び図１２は、本発明の第２実施形態を示す。この第２実施形態では、端子抜き治具３０Ｂの構成のみが相違する。コネクタ１の構成は、前記第１実施形態と同一であるため、説明を省略する。図面の同一構成箇所には、同一符号を付して明確化を図る。
【００３５】
図１１に示すように、第２実施形態の端子抜き治具３０Ｂは、作業者が把持する把持部３１と、この把持部３１より前方に突出する解除アーム部３２と、この解除アーム部３２の根本箇所に一体に設けられた端子押圧部３３とこじり規制部３４とを備えている。
【００３６】
把持部３１、解除アーム部３２及び端子押圧部３３の構成は、前記第１実施形態と同じであるため、説明を省略する。
【００３７】
こじり規制部３４は、把持部３１に一体に設けられている。こじり規制部３４は、上面壁３４ａとこの上面壁３４ａの両端より垂下された一対の垂下壁３４ｂとを有する。端子抜き治具３０Ｂの治具挿入室４への挿入過程で、上面壁３４ａが治具挿入室４に、一対の垂下壁３４ｂがその両外側の撓み許容室６に入り込み、治具挿入室４内に挿入された解除アーム部３２を左右方向等に傾斜させることができない。
【００３８】
この第２実施形態でも、前記第１実施形態と同様に、端子抜き治具３０Ｂを治具挿入室４に挿入することによって一対のランス７を共に係止解除位置に変移でき、且つ、端子２０を引き抜き方向に移動できる。これにより、端子２０の係止力の強化と端子２０の引き抜き作業性を両立させることができる。
【００３９】
端子抜き治具３０Ｂは、こじり規制部３４を有する。図１２に示すように、端子抜き治具３０Ｂは、そのこじり規制部３４がコネクタハウジング２内の治具挿入室４及び撓み許容室６に入り込むと、解除アーム部３２の治具挿入室４内でのこじりを防止できる。従って、解除アーム部３２のこじりによっていずれか一方のランス７が過大変位することがなく、過大変位に起因するランス７の損傷を防止できる。
【００４０】
（第３実施形態）
図１３〜図１５は、本発明の第３実施形態を示す。この第３実施形態では、端子抜き治具３０Ｃの構成のみが相違する。コネクタ１の構成は、前記第１実施形態と同一であるため、説明を省略する。図面の同一構成箇所には、同一符号を付して明確化を図る。
【００４１】
図１３に示すように、第３実施形態の端子抜き治具３０Ｃは、前記第２実施形態のものと同様に、作業者が把持する把持部３１と、この把持部３１より前方に突出する解除アーム部３２と、この解除アーム部３２の根本箇所に一体に設けられた端子押圧部３３と、こじり規制部３４とを備えている。
【００４２】
把持部３１には、長手方向に沿ってバネ収容室３１ａが設けられている。端子押圧部３３の構成は、前記第１実施形態と同じであるため、説明を省略する。
【００４３】
こじり規制部３４は、前記第２実施形態のように把持部３１に一体に固定されておらず、解除アーム部３２の外周にスライド自在に支持されている。こじり規制部３４は、前記第２実施形態のものと同様に、上面壁３４ａとこの上面壁３４ａの両端より垂下された一対の垂下壁３４ｂとスライドロッド部３４ｃとを有する。スライドロッド部３４ｃは、バネ収容室３１ａ内にスライド自在に支持され、その端面でバネ３５の付勢力を受けている。こじり規制部３４は、バネ３５のバネ力によって解除アーム部３２の先端側に付勢されている。
【００４４】
この第３実施形態でも、前記第１実施形態と同様に、端子抜き治具３０Ｃを治具挿入室４に挿入することによって一対のランス７を係止解除位置に変移でき、且つ、端子２０を引き抜き方向に移動できる。これにより、端子２０の係止力の強化と端子２０の引き抜き作業性を両立させることができる。
【００４５】
この第３実施形態では、端子抜き治具３０Ｃの解除アーム部３２をコネクタハウジング２の治具挿入室４に挿入する初期段階で、図１４に示すように、こじり規制部３４がコネクタハウジング２の治具挿入室４と撓み許容室６に入り込む。そして、この状態より解除アーム部３２を端子抜き治具３０Ｃに挿入するべく押圧すると、図１５に示すように、こじり規制部３４がその挿入位置を維持しつつ解除アーム部３２がバネ３５のバネ力に抗して治具挿入室４の奥に徐々に挿入される。
【００４６】
従って、こじり規制部３４は、端子抜き治具３０Ｃの挿入過程の全領域で解除アーム部３２のこじりを防止でき、過大変位に起因するランス７の損傷を確実に防止できる。
【符号の説明】
【００４７】
１  コネクタ
２  コネクタハウジング
３  端子収容室
７  ランス
８  解除用壁部
２０  端子
３０Ａ〜３０Ｃ  端子抜き治具
３２  解除アーム部
３３  端子押圧部
３４  こじり規制部
３５  バネ（付勢手段）
【図１】
2013069542.tif 000003
【図２】
2013069542.tif 000004
【図３】
2013069542.tif 000005
【図４】
2013069542.tif 000006
【図５】
2013069542.tif 000007
【図６】
2013069542.tif 000008
【図７】
2013069542.tif 000009
【図８】
2013069542.tif 000010
【図９】
2013069542.tif 000011
【図１０】
2013069542.tif 000012
【図１１】
2013069542.tif 000013
【図１２】
2013069542.tif 000014
【図１３】
2013069542.tif 000015
【図１４】
2013069542.tif 000016
【図１５】
2013069542.tif 000017
【図１６】
2013069542.tif 000018
【図１７】
2013069542.tif 000019